(57)【特許請求の範囲】
【請求項１】
リール本体の左右側板間に回転可能に設けられ、釣糸が巻回されるスプールと、
前記スプールの前方のリール本体に設けられ、前記スプールを回転駆動する駆動モータと、
前記スプールに釣糸を平行に巻回案内するためのレベルワインド機構と、
を備える魚釣用電動リールにおいて、
前記駆動モータのハウジングは、前記スプールから前記レベルワインド機構を経由して延びる釣糸に対面する部位が平坦部として形成され、
釣糸を挿通案内する前記レベルワインド機構のラインガイドが前記駆動モータの前方に配置され、
前記スプールから前記ラインガイドへと延びる釣糸に対面する前記駆動モータのハウジングの前記平坦部は、リール本体が水平に配置された状態でリール本体の前方に向かって水平面に対して斜め上向きに延在するように形成されていることを特徴とする魚釣用電動リール。
【請求項２】
前記ラインガイドの釣糸挿通孔の後端下縁からスプール７の釣糸巻回胴部の外周面上の接点へと延ばした接線をラインＬ１とし、前記平坦部の延在方向に延びるラインをＬ２とすると、Ｌ１とＬ２とが略平行であることを特徴とする請求項１に記載の魚釣用電動リール。
【請求項３】
前記ラインＬ２が水平面に対して成す角度は５°以上３０°以下であることを特徴とする請求項２に記載の魚釣用電動リール。
【請求項４】
前記ラインＬ２が前記ラインＬ１よりも下方に位置されることを特徴とする請求項２に記載の魚釣用電動リール。
【請求項５】
前記リール本体は、釣竿に装着されるリール脚取付け部を有し、
前記リール脚取付け部の下面から前記スプールの回転軸までの高さが、前記リール脚取付け部の下面から前記駆動モータの回転軸までの高さと略同一であることを特徴とする請求項１ないし請求項４のいずれか１項に記載の魚釣用電動リール。
【請求項６】
前記リール本体は、釣竿に装着されるリール脚取付け部を有し、
前記リール脚取付け部の下面から前記レベルワインド機構のラインガイドの上端までの高さが、前記リール脚取付け部の下面から前記スプールのフランジ部の最大外径部までの最大高さよりも低いことを特徴とする請求項１ないし請求項５のいずれか１項に記載の魚釣用電動リール。
【請求項７】
リール本体を構成する部材が駆動モータの前記ハウジングを兼ねていることを特徴とする請求項１ないし請求項６のいずれか１項に記載の魚釣用電動リール。
【発明の詳細な説明】
【技術分野】
【０００１】
本発明は、魚釣用電動リールに関し、特にモータの配置形態に特徴を有する魚釣用電動リールに関する。
【背景技術】
【０００２】
船釣り等、一般的に深場の魚層を対象とした魚釣りを行なう場合に、魚釣用電動リール（以下では、電動リールとも称する）が多用されている。この種の電動リールは、リール本体に、スプールを巻取り駆動する駆動モータを組み込んでおり、スプールの充分な糸巻き容量とリール全体の小型化とを図るため、例えば、特許文献１に見られるように、駆動モータをスプールの内部ではなく、スプール前方のリール本体の側板間に形成した筒状の収容部内に収容保持した構成（スプールアウトタイプ）が知られている。
【０００３】
このような電動リールは、仕掛けの放出から巻き取りに至るまでの作業を釣竿が船縁の竿掛けに置かれたままの状態で行なう通常の実釣形態に鑑み、比較的大型に構成されたものが多いが、最近では、手持ち状態でリール操作が行なえるように、よりコンパクト化された構成も製品化されている。
【０００４】
電動リールのコンパクト化に関連する技術として、特許文献２には、モータや、レベルワインド機構の配置形態に特徴を有する電動リールが開示されている。
【先行技術文献】
【特許文献】
【０００５】
【特許文献１】特開２００５−２０４５６７号
【特許文献２】特開２００８−１７８３４５号
【発明の概要】
【発明が解決しようとする課題】
【０００６】
ところで、電動リールには、コンパクト化が求められるだけでなく、同時に、大きな巻上力（モータ出力）も求められる。特に小型で高性能の電動リールでは、リールサイズを小型化しつつ大出力の比較的大型のモータを必要とするという、いわば相反する要件を同時に満たさなければならない。また、コンパクト化にあっては、リールの前後方向（竿軸方向）のコンパクト化と同時に、高さ方向のコンパクト化（ロープロファイル化）も求められるため、大きな巻上力（モータ出力）のために大きなモータ（大きな断面積）が必要となる場合には、必然的に、モータのハウジング（モータ自体のケース部またはモータを収容するリール本体部分）と、スプールから繰り出される釣糸の糸道との間にスペースを確保することが難しくなり、結果として、スプールから繰り出される釣糸とモータのハウジングとが干渉するという問題が生じる。
【０００７】
また、このことに加えて、魚の引きなどにより釣竿が大きく撓った状態では、釣糸がリールの下方へ向けて大きく傾くため、釣糸とモータのハウジングとの干渉が更に起こり易くなり、あるいは、ロープロファイル化の要求が厳しくなる場合にも、電動リールの上部に位置される制御ケースの下面とレベルワインド機構のラインガイド部の上面との間の干渉を避けるために、ラインガイド部の配置位置を低くする必要が生じるため、モータのハウジングと釣糸との干渉が更に生じ易くとなるという悪循環をもたらす。
【０００８】
このように、リールの軽量小型化および高性能化が求められる昨今では、リールのコンパクト化とモータの高出力化（モータの大型化）という、いわば相反する要件を同時に満たすことが求められており、そのため、釣糸とモータのハウジングとの干渉をいかにして回避できるかが大きなポイントとなる。
【０００９】
本発明は、上記した問題に着目してなされたものであり、コンパクトなリールサイズに比して大型のモータを組み合わせた場合でも、釣糸とモータのハウジングとの干渉を発生しにくくする魚釣用電動リールを提供することを目的とする。
【課題を解決するための手段】
【００１７】
また、請求項１に記載の発明は、リール本体の左右側板間に回転可能に設けられ、釣糸が巻回されるスプールと、前記スプールの前方のリール本体に設けられ、前記スプールを回転駆動する駆動モータと、前記スプールに釣糸を平行に巻回案内するためのレベルワインド機構とを備える魚釣用電動リールにおいて、前記駆動モータのハウジングは、前記スプールから前記レベルワインド機構を経由して延びる釣糸に対面する部位が平坦部として形成され、釣糸を挿通案内する前記レベルワインド機構のラインガイドが前記駆動モータの前方に配置され、前記スプールから前記ラインガイドへと延びる釣糸に対面する前記駆動モータのハウジングの前記平坦部は、リール本体が水平に配置された状態でリール本体の前方に向かって水平面に対して斜め上向きに延在するように形成されていることを特徴とする。
【００１８】
この請求項１に記載の発明によれば、スプールからレベルワインド機構を経由して延びる釣糸に対面する駆動モータのハウジング（モータハウジング）の部位が平坦部として形成され、前記平坦部は、リール本体が水平に配置された状態で水平面に対して斜めに延在するように形成されているため、ロープロファイル化を図る場合に或いはコンパクトなリールサイズに比して大型のモータを組み合わせた場合でも、釣糸と駆動モータのハウジングとの干渉を発生しにくくすることができる。また、駆動モータの前方側にラインガイドが配置されているため、魚の引きなどにより釣竿が大きく撓って釣糸がリールの下方へ向けて大きく傾いた場合でも、駆動モータのハウジングと釣糸との干渉が発生しにくくなる。それに加えて、本構成では、スプールからラインガイドへと延びる釣糸に対面する部位が平坦部として形成され、該平坦部は、リール本体が水平に配置された状態でリール本体の前方に向かって水平面に対して斜め上向きに延在するように形成されているため、ロープロファイル化の実現のためにラインガイドの配置位置を低く設定しても、釣糸と駆動モータのハウジングとの干渉が発生しにくくなる。なお、上記構成において、駆動モータのハウジングとは、駆動モータ自体のケース部、または、駆動モータを収容するリール本体の構成部分のことであり、要は、ラインガイドから導出される釣糸に対面する駆動モータ側の最外露出部分のことである。また、本発明では、駆動モータが配置されるリール本体の側が前方、スプールが配置されるリール本体の側が後方、左右側板が配置されるリール本体の側が左右（側方モータの側部）、釣竿に取り付けられるリール本体の側が下方、その反対側が上方として方向が規定される。
【００１９】
また、請求項２に記載の発明は、請求項１に記載の発明において、前記ラインガイドの釣糸挿通孔の後端下縁からスプール７の釣糸巻回胴部の外周面上の接点へと延ばした接線をラインＬ１とし、前記平坦部の延在方向に延びるラインをＬ２とすると、Ｌ１とＬ２とが略平行であることを特徴とする。
【００２０】
この請求項２に記載の発明によれば、請求項１に記載の発明と同様の作用効果が得られるとともに、上記ラインＬ１，Ｌ２が略平行に設定されることにより、ラインガイドから延びる釣糸の傾斜角度にほぼ沿って平坦部が延在するようになり、釣糸と駆動モータのハウジングとの干渉を効率良く防止できる。なお、ここでも、「略平行」とは、ラインＬ１，Ｌ２同士の成す角度が０°である完全な平行を含むほか、ラインＬ１，Ｌ２同士の成す角度が−１０°〜１０°の範囲も含む。
【００２１】
また、請求項３に記載の発明は、請求項２に記載の発明において、前記ラインＬ２が水平面に対して成す角度は５°以上３０°以下であることを特徴とする。
【００２２】
この請求項３に記載の発明によれば、請求項２に記載の発明と同様の作用効果が得られるとともに、実際の釣りの状況に適合した平坦部傾斜配置形態を実現でき、釣糸と駆動モータのハウジングとの干渉を効果的に防止できる。なお、ラインＬ２が水平面に対して成す角度は、７°以上２０°以下が更に好ましい。
【００２３】
また、請求項４に記載の発明は、請求項２に記載の発明において、前記ラインＬ２が前記ラインＬ１よりも下方に位置されることを特徴とする。
【００２４】
この請求項４に記載の発明によれば、請求項２に記載の発明と同様の作用効果が得られるとともに、釣糸と駆動モータのハウジングとの干渉を確実に防止できる。
【００２５】
また、請求項５に記載の発明は、請求項１ないし請求項４のいずれか１項に記載の発明において、前記リール本体は、釣竿に装着されるリール脚取付け部を有し、前記リール脚取付け部の下面から前記スプールの回転軸までの高さが、前記リール脚取付け部の下面から前記駆動モータの回転軸までの高さと略同一であることを特徴とする。
【００２６】
この請求項５に記載の発明によれば、請求項１ないし請求項４のいずれか１項に記載の発明と同様の作用効果が得られるとともに、リール脚取付け部の下面からスプールの回転軸までの高さが、リール脚取付け部の下面から駆動モータの回転軸までの高さと略同一であるため、すなわち、リール脚取付け部に対してスプールの高さと駆動モータの高さとをほぼ揃えたため、リール脚取付け部、駆動モータ、スプールがバランス良く配置され、駆動モータの上方における駆動モータのハウジングと釣糸との干渉、および、駆動モータの下方における駆動モータとリール脚取付け部との干渉、の両方を防止しつつ、ロープロファイル化を容易に実現できる。なお、ここで、「略同一」とは、±３ｍｍ以内の誤差を含む概念である。
【００２７】
また、請求項６に記載の発明は、請求項１ないし請求項５のいずれか１項に記載の発明において、前記リール本体は、釣竿に装着されるリール脚取付け部を有し、前記リール脚取付け部の下面から前記レベルワインド機構のラインガイドの上端までの高さが、前記リール脚取付け部の下面から前記スプールのフランジ部の最大外径部までの最大高さよりも低いことを特徴とする。
【００２８】
この請求項６に記載の発明によれば、請求項１ないし請求項５のいずれか１項に記載の発明と同様の作用効果が得られるとともに、ロープロファイル化を更に促進できる。つまり、このような高さ設定をすることにより、例えばラインガイドの上方に存在する制御ケースなどのリール構成要素の設置高さをラインガイドとの干渉を防止しつつ低くすることができる（あるいは、制御ケースの厚みを確保して、大きな糸巻き量を確保できる）ため、ロープロファイル化の厳しい要求に対応できる。このような高さ設定は、なによりも、駆動モータハウジングの平坦部の傾斜配置形態により実現できるものである。
【００２９】
また、請求項７に記載の発明は、請求項１ないし請求項６のいずれか１項に記載の発明において、リール本体を構成する部材が駆動モータの前記ハウジングを兼ねていることを特徴とする。
【００３０】
この請求項７に記載の発明によれば、請求項１ないし請求項６のいずれか１項に記載の発明と同様の作用効果が得られるとともに、リール本体を構成する部材が駆動モータのハウジングを兼ねているため、駆動モータを覆う外周壁の総厚みを薄くでき、結果として、釣糸とモータのハウジングとの干渉を更に防止できる。
【発明の効果】
【００３１】
本発明によれば、コンパクトなリールサイズに比して大型のモータを組み合わせた場合でも、釣糸とモータのハウジングとの干渉を発生しにくくする魚釣用電動リールが得られる。
【図面の簡単な説明】
【００３２】
【図１】内部機構が部分的に示される本発明の第１の実施形態に係る魚釣用電動リールの平面図である。
【図２】図１に示す魚釣用電動リールをハンドル側から見た側面図である。
【図３】図１に示す魚釣用電動リールを後方側から見た正面図である。
【図４】図１に示す魚釣用電動リールを前方側から見た背面図である。
【図５】図１に示す魚釣用電動リールの内部駆動機構を側方から見た概略図である。
【図６】図１のＡ−Ａ線に沿う断面図である。
【図７】図１の魚釣用電動リールを釣竿に取り付けた実釣時の釣糸の延在方向と駆動モータのハウジングの平坦部との位置関係を示す図である。
【図８】スプールから延びる釣糸と駆動モータのハウジングとの位置関係を示す拡大図である。
【図９】図８の要部拡大図である。
【図１０】（ａ）は釣竿と共にリール本体を片手で把持して操作部材を操作する状態をリールの側方から見た側面図、（ｂ）は釣竿と共にリール本体を片手で把持して操作部材を操作する状態をリールの上方から見た平面図である。
【図１１】本発明の第２の実施形態に係る魚釣用電動リールの図６に対応する断面図である。
【図１２】駆動モータ部分の構成を示す分解図である。
【図１３】本発明の第３の実施形態に係る魚釣用電動リールの図６に対応する断面図である。
【図１４】本発明の第３の実施形態に係る魚釣用電動リールの図８に対応する断面図である。
【発明を実施するための形態】
【００３３】
以下、図面を参照しながら本発明の実施形態について説明する。  
【００３４】
図１〜図１０は本発明の第１の実施形態を示している。図１に示されるように、本実施形態の魚釣用電動リール１は、左右のフレーム３ａ，３ｂに左右カバー４ａ，４ｂを取着して構成される左右側板５Ａ，５Ｂを具備したリール本体５を有している。リール本体５を構成する一方の側板（右側板５Ｂ）側には、巻取り操作される手動ハンドル６が設けられており、左右側板５Ａ，５Ｂ間には、釣糸が巻回されるスプール７がスプール軸７ａ（図６参照）を中心に回転可能に支持されている。また、本実施形態では、スプール７の前方側における左右側板５Ａ，５Ｂ間に駆動モータ８を保持しており、スプール７は、手動ハンドル６の巻取り操作および駆動モータ８の回転駆動によって、動力伝達機構１０を介して釣糸巻取り方向に回転駆動される。
【００３５】
なお、駆動モータ８については、スプール７の内部に設置する構成も考えられるが、本実施形態では、スプール７の前方に設置することで、スプール７の糸巻き量を確保しつつ、リール本体５の可及的なコンパクト化を図るようにしている。また、動力伝達機構１０については、駆動モータ８の回転駆動力を減速してスプール７側に伝達する機能（減速機構１０２および伝達ベルト１００などによって果たされる）、駆動モータ８が回転駆動しても手動ハンドル６を連れ回しさせない機能や手動ハンドル６の逆回転を防止する機能（ラチェット１０４を含む）などを備えた公知のものによって構成することが可能である。また、そのような動力伝達機構１０については、左側板５Ａ側に配設されていても良いし、右側板５Ｂ側に配設されていても良く、或いは、左右側板それぞれに振り分けて配設されていても良い。なお、図中、１１６はハンドル６に結合されたハンドル軸、１１８は、ハンドル軸１１６に回転可能に支持されたドライブギア、１２０はドライブギア１１８に噛合するピニオンであり、これらは前述した動力伝達機構１０を構成する。また、図中、１２５は魚釣時にスプール７から釣糸が繰り出された際にスプール７の回転にドラグ力を付与する公知のドラグ機構である。また、リール本体５とハンドル６との間には、ドラグ機構１２５によるドラグ力の調整を行なうための星型のドラグ調整ノブ（スタードラグ）１３９が設けられている。
【００３６】
また、図５〜図９に示されるように、スプール７の前方の左右側板５Ａ，５Ｂ間には、スプール７に対して均等に釣糸を巻回する機能を備えた公知のレベルワインド機構１４２が設置されている。この場合、レベルワインド機構１４２のラインガイド１４２ａは、スプール７と駆動モータ８との間に配置されており、これにより、ラインガイドの配置位置を低くすることができ、リール上下方向の高さを抑えて電動リールの小型化を図ることができる。さらに、リール本体５を構成する左右側板５Ａ，５Ｂ間のスプール７の上方には、駆動モータ８を制御する制御部１００を具備する制御ケース１５が配設されている。
【００３７】
また、リール本体５内には、ピニオン１２０を軸方向に移動させてスプール７を釣糸巻き取り状態／フリー回転状態に切り換える公知のクラッチ機構１７が配置されている。このクラッチ機構１７は、動力伝達機構１０に介在されて手動ハンドル６および駆動モータ８からの動力伝達を継脱する機能を備えており、本実施形態では、右側板５Ｂ側に設置されている。このクラッチ機構１７を構成するクラッチプレートには、図１に示されるように、動力伝達をＯＮ状態からＯＦＦ状態に切り換えるクラッチＯＦＦ切り換え部材１８と、動力伝達をＯＦＦ状態からＯＮ状態に切り換えるクラッチＯＮ切り換え部材１９が係合している。
【００３８】
本実施形態におけるクラッチＯＦＦ切り換え部材１８は、スプール７をサミングしながら操作が可能となるように、スプール７の後方側の左右側板５Ａ，５Ｂ間に橋設された構成となっており、図６に示す状態から押し下げ操作することで、クラッチ機構１７をＯＮ状態からＯＦＦ状態に切り換えるよう構成されている。クラッチＯＦＦ切り換え部材１８は、図５に示される振り分け保持バネ４００によって、図７に示すクラッチＯＮ位置とクラッチＯＦＦ位置（図示せず）との間で振り分け保持される。
【００３９】
また、本実施形態におけるクラッチＯＮ切り換え部材１９は、右側板５Ｂ側に設置されており、振り分け保持バネ４００（図５参照）によって、クラッチＯＮ位置とクラッチＯＦＦ位置との間で揺動可能となるよう振り分け保持されている。
【００４０】
リール本体５には、駆動モータ８に対して電力を供給するための給電部２０が設けられている。この給電部２０は、左側板５Ａの前方側の下面領域に形成されており、この給電部２０に対しては、着脱可能な携帯バッテリ２２（図１０参照）を装着したり、或いは、足元に置いたバッテリや釣り船に設置されている電源部から電力供給される給電コードが装着される。
【００４１】
制御ケース１５の後方部分には、駆動モータ８の出力を調整する操作部材２５が配置されている。この操作部材２５は、スプール７の上方に位置して、前後方向（釣竿方向）に変位できるように支持されている。ここで、スプール７の上方とは、スプールに釣糸が巻回された状態において、サミング操作しながら操作が可能となるように、操作領域（親指が当接する操作領域）が、スプール７の回転軸よりも前方側に多少オフセットしていることが好ましい。本実施形態における操作部材は、回転可能な形状となっており、詳細には、操作性が良好となるように、略円筒形状に構成され、その外表面（回転表面）が、左右側板間でスプール７を露出させる開口領域に面して、回転する方向が前後方向（後方側から見ると上下方向）となるように支持されている。  
【００４２】
操作部材２５は、リール本体５を、リール脚取付け部５ａを介して釣竿Ｒに装着した際に、図１０に示すように、釣竿Ｒとともにリール本体５を片手で把持保持した状態の手の親指Ｔが届く位置であって、制御ケース１５の表示部（液晶パネル）１６の後方側の位置に配設されている。
【００４３】
また、制御ケース１５の後方部位には、後方から親指でサミングしたまま指先で操作部材２５に触れるように開放部２１０が設けられ、この開放部２１０内に操作部材２５が配置されている。ここで、開放部２１０は、スプール７側（後方側）に向かって開放幅が広がる「ハ」の字形状を成しており、制御ケース１５の後端縁で開口している。そのような形状によれば、スプール７上のどの位置においてもサミング操作から操作部材２５の操作への移行を障害なくスムーズに行なえるため有益である。
【００４４】
上記のように、操作部材２５を、釣竿Ｒとともにリール本体５を把持保持した状態でサミング操作しながら操作可能な位置に配設したことで、釣竿Ｒとリール本体５を保持した姿勢で片手操作を行うことが可能となる。また、親指Ｔでサミングしながら、親指Ｔの指先で操作部材２５に触れていることが可能であるため、サミングによるアタリを感知しながら、即座にモータ駆動による巻き取りが可能となる。さらに、操作部材２５は、略前後方向に移動可能となっていることから、同時にサミングしたり離したりする（接触させたり離す）指の動きと同一方向となり、操作性が良好となる。
【００４５】
なお、図６等に示すように、制御ケース１５の後方側下端部分に、操作部材２５とスプール７との間で後方側に向けて突出する誤動作防止部としての保護カバー１５ｃを設けておくことが好ましい。このような保護カバー１５ｃを形成しておくことにより、釣糸を巻き取り操作する際、釣糸に付着したゴミや異物が操作部材２５に当たることを防止して、誤動作が生じることを防止することが可能となる。
【００４６】
また、上記した制御ケース１５には、図６に明確に示されるように、駆動モータ８の駆動を制御する制御部１００（制御基板１２０Ａ，１２０Ｂ）が収容されており、操作部材２５の回転操作量に応じて駆動モータ８の出力を調整するようになっている。この場合、制御部１００は、操作部材２５を前方に向けて回転操作することで、駆動モータ８の出力が上昇するように設定されている。すなわち、釣糸の巻き取りをする際、サミングしている親指をそのまま前方に延ばして、操作部材２５を押し上げるような操作をすることで釣糸の巻き取り操作が行えるため、操作性の向上が図れるようになる。
【００４７】
なお、操作部材２５の回転操作量と駆動モータ８の出力との関係については任意であるが、本実施形態では、操作部材２５の基準位置をモータの出力値０として、１２０°前方に回転操作した際、モータ出力がＭａｘになるように設定されている。すなわち、前方方向に向けて操作した際に増速とすることで、釣竿とリール本体を持つ手に負荷がかかる高速巻き取り時に、より前方を把持できるので、把持保持性が高くなり、操作性が良く、疲れ難くなる。  
もちろん、操作部材２５については、後方に向けて回転操作した際に、駆動モータ８の出力が上昇するように設定しても良い。このような操作部材の構成によれば、スプールをサミングしている親指の第一関節を折り曲げる動作をするだけで、サミング操作をＯＮからＯＦＦにすると同時に、操作部材を手前側に回転操作（駆動モータの増速回転）することができ操作性の良い構成となる。なお、操作部材２５の操作回転角は角度センサ１３０によって検出される。
【００４８】
前記制御ケース１５の表面には、繰り出された釣糸の長さ（糸長情報）などを表示する表示部（液晶表示部）１６が設けられており、また、その周囲には、各種の情報が設定可能な複数の操作ボタン２１６が配設されている。なお、本実施形態において、操作ボタン２１６は、図１に明確に示されるように、制御ケース１５の上面において、表示部１６と操作部材２５との間で且つ釣竿Ｒとともにリール本体５を把持保持した状態で親指が届く位置とされている。
【００４９】
また、本実施形態において、スプール７の前方側に配設される駆動モータ８は、図６，８，９に示されるように、リール本体５を構成する構成部材８Ａに凹所を形成し、この凹所にモータ本体を収容するモータケース８Ｂを収容配置して構成される。すなわち、リール本体５の構成部材であるハウジング８Ａがモータケース８Ｂの外周を取り囲むことにより駆動モータ８の外枠が形成される。具体的には、駆動モータ８のハウジング８Ａは、ラインガイド１４２ａから導出される釣糸Ｌに対面する部位が平坦部８Ａａとして形成され、この平坦部８Ａａに対応して、内側のモータケース８Ｂにも平坦部８Ａａと重ね合わされる部位に平坦部８Ｂａが形成されている。すなわち、モータケース８Ｂは（したがって、前記凹所も）、側面視で上下方向がつぶれた円形状となっている。この結果、円形状に形成されるモータ（凹所）と比較すると、上下方向に短縮化が図れるようになる。なお、ハウジング８Ａの平坦部８Ａａの釣糸Ｌ側（上方側）は、複数の部材で構成してもよく、例えば、リール本体５と一体の部材の表層側を樹脂部材や耐摩耗性の高い部材と組み合わせたり、フロントカバー３０５と兼用したものであってもよい。
【００５０】
モータケース８Ｂの内面には、平坦部８Ｂａを除く位置に、磁界を構成する磁石２３３が周方向に沿って取着されている。この場合、磁石２３３は、モータケース８Ｂの内面に対し接着剤等によって固着しても良いし、保持手段によって係止するようにしても良く、更には、磁石２３３は、周方向に沿って所定間隔おいて取着されていても良い。また、磁石２３３については、その外側に磁気回路を構成して磁力の漏洩を防止する継鉄（ヨーク）を取着しても良いが、ハウジング８Ａにそのようなヨークとしての機能を持たせても良い。
【００５１】
なお、ハウジング８Ａは、右側板側がそのまま開口すると共に、左側板側には底壁が形成されており、この底壁の中心部分に軸受を介して駆動軸２３１を回転可能に支持している。
【００５２】
この駆動軸２３１には、モータケース８Ｂの内面に取着された磁石２３３に対向して駆動モータ８の構成部材である電機子２３５（磁石２３３に対向するコイル２３５ａを有する）が装着されており、かつ、電機子２３５の軸方向右側板側に、電機子２３５に電流を供給する図示しない整流子が装着されている。
【００５３】
また、本実施形態において、駆動モータ８のハウジング８Ａの平坦部８Ａａは、リール本体５が水平に配置された状態でリール本体５の前方に向かって水平面に対して斜め下向きに延在するように形成されている。具体的には、図９に示されるように、ラインガイド１４２ａの釣糸挿通孔１４３の前端下縁１４３’と、この前端下縁１４３’を通る仮想直線Ｌ’を前端下縁１４３’を中心に駆動モータ８側へ回転させたときに仮想直線Ｌ’が最初に接触するハウジング８Ａの部位Ｐとを結ぶラインをＬ１とし、平坦部８Ａａの延在方向に延びるラインをＬ２とすると、Ｌ１とＬ２とが略平行（１５°以内の角度を互いに成していてもよい）に設定されている。また、ラインＬ２が水平面Ｏに対して成す角度θは５°以上３０°以下、好ましくは７°〜２０°に設定される。
【００５４】
また、本実施形態では、スプール７、駆動モータ８、および、リール脚取付け部５ａの配置関係をバランス良く設定して、釣糸Ｌと駆動モータ８のハウジング８Ａとの間の干渉を防止しつつ、ロープロファイル化を容易に可能とするべく、これらの構成要素の高さ寸法が設定されている。具体的には、図６に示されるように、リール脚取付け部５ａの下面９９からスプール７の回転軸７ａまでの高さＨ２が、リール脚取付け部５ａの下面９９から駆動モータ８の回転軸２３１までの高さＨ１と略同一（±３ｍｍの誤差を含む）になっている。更に、リール脚取付け部５ａの下面９９からレベルワインド機構１４２のラインガイド１４２ａの上端までの高さＨ３が、リール脚取付け部５ａの下面９９からスプール７のフランジ部７ｂの最大外径部までの最大高さＨ４よりも低く設定されている。
【００５５】
以上説明したように、本実施形態によれば、レベルワインド機構１４２のラインガイド１４２ａがスプール７と駆動モータ８との間に配置されることにより、ラインガイド１４２の配置位置を低くすることができるため（図６等参照）、リール上下方向の高さを抑えて電動リールの小型化を図ることができる。また、ラインガイド１４２ａから導出される釣糸Ｌに対面するハウジング８Ａの部位が平坦部８Ａａとして形成され、平坦部８Ａａは、リール本体５が水平に配置された状態でリール本体５の前方に向かって水平面に対して斜め下向きに延在するように形成されているため、本構成のようにラインガイド１４２ａの配置位置を低く設定しても、更には、図７に示されるように魚の引きなどにより釣竿Ｒが大きく撓って釣糸Ｌがリールの下方へ向けて大きく傾いた場合でも、駆動モータ８のハウジング８Ａと釣糸Ｌとの干渉が発生しにくくなる。このように、本構成では、駆動モータ８のハウジング８Ａの平坦部８Ａａの傾斜配置形態のおかげにより、コンパクトなリールサイズに比して大型のモータを組み合わせた場合でも、釣糸Ｌと駆動モータ８のハウジング８Ａとの干渉は発生しにくくなる。
【００５６】
また、本実施形態では、ラインガイド１４２ａの前端下縁１４３’と、前端下縁１４３’を通る仮想直線Ｌ’を前端下縁１４３’を中心に駆動モータ８側へ回転させたときに仮想直線Ｌ’が最初に接触するハウジング８Ａの部位Ｐとを結ぶラインをＬ１とし、平坦部８Ａａの延在方向に延びるラインをＬ２とすると、Ｌ１とＬ２とが略平行になっている。これにより、ラインガイド１４２ａから延びる釣糸Ｌの傾斜角度にほぼ沿って平坦部８Ａａが延在するようになり、釣糸Ｌと駆動モータ８のハウジング８Ａとの干渉を効率良く防止できる。
【００５７】
また、本実施形態によれば、リール脚取付け部５ａの下面９９からスプール７の回転軸７ａまでの高さＨ２が、リール脚取付け部５ａの下面９９から駆動モータ８の回転軸２３１までの高さＨ１と略同一であるため、すなわち、リール脚取付け部５ａに対してスプール７の高さと駆動モータ８の高さとをほぼ揃えたため、リール脚取付け部５ａ、駆動モータ８、スプール７がバランス良く配置され、駆動モータ８の上方における駆動モータ８のハウジング８Ａと釣糸Ｌとの干渉、および、駆動モータ８の下方における駆動モータ８とリール脚取付け部５ａとの干渉、の両方を防止しつつ、ロープロファイル化を容易に実現できる。
【００５８】
また、本実施形態では、リール脚取付け部５ａの下面９９からラインガイド１４２ａの上端までの高さＨ３が、リール脚取付け部５ａの下面９９からスプール７のフランジ部７ｂの最大外径部までの最大高さＨ４よりも低く設定されているため、ロープロファイル化を更に促進できる。つまり、このような高さ設定をすることにより、制御ケース１５の設置高さをラインガイド１４２ａとの干渉を防止しつつ低くすることができる（あるいは、制御ケース１５の厚みを確保して、大きな糸巻き量を確保できる）ため、ロープロファイル化の厳しい要求に対応できる。このような高さ設定は、なによりも、駆動モータハウジング８Ａの平坦部８Ａａの傾斜配置形態により実現できるものである。
【００５９】
図１１および図１２は本発明の第２の実施形態を示している。本実施形態では、特に図１１に明確に示されるように、リール本体５を構成する部材が駆動モータ８のハウジングを兼ねている。すなわち、モータケース８Ｂがリール本体５を構成する部材（第１の実施形態におけるハウジング８Ａ）によって形成されている。
【００６０】
また、この構成において、電機子２３５の軸方向右側板側に設けられて電機子２３５に電流を供給する整流子２３７は、ハウジング８Ａの右側板側の開口（前述した凹所の開口）から突出しており、この開口部分には、ハウジング８Ａ近傍の右フレーム３ｂに螺着される固定ネジによってハウジング８Ａに着脱可能となるように端部カバー３４０が装着される。この端部カバー３４０は、予め一つのユニットとして構成されており、その径方向内側には、整流子３３７に接触して電流を流すブラシ３４１と、このブラシ３４１を保持するブラシホルダ３４２が組み込まれてネジで取付け固定されている。そして、このブラシホルダ３４２には、端子３４３が一体的に組み込まれており、リード線３４４を介して外部電源に接続されるようになっている。
【００６１】
また、端部カバー３４０には、軸方向内側から順に、駆動軸２３１を回転可能に支持する一方向クラッチ３４６と、駆動軸２３１を回転可能に支持する軸受３４７とを保持した保持体３４８が組み込まれている。この場合、一方向クラッチ３４６は、手動ハンドル６を巻取り操作した際に空回りすることなく、かつ駆動モータ８が駆動された際、スプール７側に動力を伝達するように、駆動軸２３１を一方向のみに回転することを許容するものである。なお、それ以外の構成は第１の実施形態と同一である。
【００６２】
このように、本実施形態では、リール本体５を構成する部材が駆動モータ８のハウジングを兼ねているため、駆動モータ８を覆う外周壁の総厚みを薄くでき、結果として、釣糸Ｌとモータ８のハウジング８Ａとの干渉を更に防止できる。
【００６３】
図１３および図１４は本発明の第３の実施形態を示している。図示のように、本実施形態では、スプール７と駆動モータ８とレベルワインド機構１４２のラインガイド１４２ａとの間の配置関係が前述した２つの実施形態と異なる。すなわち、前述した２つの実施形態では、スプール７と駆動モータ８との間にラインガイド１４２ａが配置されているが、本実施形態では、スプール７とラインガイド１４２ａとの間に駆動モータ８が配置されている。つまり、駆動モータ８の前方側にラインガイド１４２ａが配置されている。また、このような配置に対応して、前述した駆動モータ８のハウジング８Ａの平坦部８Ａａの傾斜方向も前述した実施形態と逆に設定されている。以下、これについて詳しく説明する。
【００６４】
前述した実施形態と同様、スプール７の前方側に配設される駆動モータ８は、リール本体５を構成する構成部材８Ａに凹所を形成し、この凹所にモータ本体を収容するモータケース８Ｂを収容配置して構成される。すなわち、リール本体５の構成部材であるハウジング８Ａがモータケース８Ｂの外周を取り囲むことにより駆動モータ８の外枠が形成される。また、前述した実施形態と同様に、駆動モータ８のハウジング８Ａは、スプール７からラインガイド１４２ａへと向かう（延びる）釣糸Ｌに対面する部位が平坦部８Ａａとして形成され、この平坦部８Ａａに対応して、内側のモータケース８Ｂにも平坦部８Ａａと重ね合わされる部位に平坦部８Ｂａが形成されている。この場合も、ハウジング８Ａの平坦部８Ａａの釣糸Ｌ側（上方側）は、複数の部材で構成してもよく、例えば、リール本体５と一体の部材の表層側を樹脂部材や耐摩耗性の高い部材と組み合わせてもよい。なお、モータケース８Ｂの内側には、前述した実施形態と同様の形態で、磁石２３３、電機子２３５、および、コイル２３５ａが配設される。また、スプール７と駆動モータ８とラインガイド１４２ａとの間の配置関係および平坦部８Ａａの傾斜方向に関連して、本実施形態では、リール脚取付け部５ａの前側部分５ａ’が第１の実施形態よりも前方に位置されている。
【００６５】
また、本実施形態において、駆動モータ８のハウジング８Ａの平坦部８Ａａは、リール本体５が水平に配置された状態でリール本体５の前方に向かって水平面に対して斜め上向き（リール本体５の後方に向かって水平面に対して斜め下向き）に延在するように形成されており、それにより、スプール７からラインガイド１４２ａへと向かう釣糸Ｌとハウジング８Ａとの干渉を回避するようになっている。具体的には、図１４に示されるように、ラインガイド１４２ａの釣糸挿通孔１４３の後端下縁１４３”からスプール７の回転軸７ａと同軸の釣糸巻回胴部７ｃの外周面上の点（スプール７の底径位置にある接点）Ｐ’へと延ばした接線（スプール７に巻回された釣糸Ｌの全てが繰り出された状態でスプール７からラインガイド１４２ａへと延びる釣糸Ｌの延在経路にほぼ相当する）をＬ１、平坦部８Ａａの延在方向に延びるラインをＬ２とすると、Ｌ１とＬ２とが略平行（１５°以内の角度を互いに成していてもよい）に設定されている。また、接線Ｌ１（したがってラインＬ２（平坦部８Ａａの傾斜角度）も）が水平面Ｏに対して成す角度θは５°以上３０°以下、好ましくは７°〜２０°、更に好ましくは１０°に設定される。
【００６６】
なお、ハウジング８Ａと釣糸Ｌとの干渉を回避するためには、少なくとも平坦部８Ａａが接線Ｌ１よりも下側となるように駆動モータ８を可能な限り下方に位置させることが望まれる（第１の実施形態も同様にＬ２がＬ１よりも下方に位置されることが望まれる）が、駆動モータ８をあまり下げ過ぎると、リール脚取付け部５ａを釣竿のリールシートに装着する際にリール１の一部が釣竿またはリールシートと干渉して釣竿に対するリール１の装着が困難になる場合があるため、その点に留意する必要がある。しかしながら、本実施形態の場合には、平坦部８Ａａがリール本体５の前方に向かって水平面に対して斜め上向きに延在するように形成されているため、釣竿またはリールシートとの干渉を回避できるスペース（釣竿を受けるためのスペース）を第１の実施形態よりも大きく確保でき有益である。また、このような干渉の回避に加えて、スプール７からラインガイド１４２ａを通じた釣糸Ｌの滑らかな延在経路を実現するため（釣糸Ｌがラインガイド１４２ａに対して局所的に負荷を及ぼさないようにするため）、ラインガイド１４２ａの釣糸挿通孔１４３の底面は略円弧状を成していることが好ましい。
【００６７】
また、前述した実施形態と同様、本実施形態においても、スプール７、駆動モータ８、および、リール脚取付け部５ａの配置関係をバランス良く設定して、釣糸Ｌと駆動モータ８のハウジング８Ａとの間の干渉を防止しつつ、ロープロファイル化を容易に可能とするべく、これらの構成要素の高さ寸法が設定される。具体的には、図１３に示されるように、リール脚取付け部５ａの下面９９からスプール７の回転軸７ａまでの高さＨ２が、リール脚取付け部５ａの下面９９から駆動モータ８の回転軸２３１までの高さＨ１と略同一（±３ｍｍの誤差を含む）になっている。更に、リール脚取付け部５ａの下面９９からレベルワインド機構１４２のラインガイド１４２ａの上端までの高さＨ３が、リール脚取付け部５ａの下面９９からスプール７のフランジ部７ｂの最大外径部までの最大高さＨ４よりも低く設定されている。
【００６８】
以上説明したように、本実施形態によれば、スプール７とラインガイド１４２ａとの間に駆動モータ８が配置されているため、すなわち、駆動モータ８の前方側にラインガイド１４２ａが配置されているため、図７に示されるように魚の引きなどにより釣竿Ｒが大きく撓って釣糸Ｌがリールの下方へ向けて大きく傾いた場合でも問題ないだけでなく、釣糸が引き出される等によって糸巻き量が少なくなった場合においても、駆動モータ８のハウジング８Ａと釣糸Ｌとの干渉が発生しにくくなる。それに加えて、本実施形態では、スプール７からラインガイド１４２ａへと向かう釣糸Ｌに対面する部位が平坦部８Ａａとして形成され、平坦部８Ａａは、リール本体５が水平に配置された状態でリール本体５の前方に向かって水平面に対して斜め上向きに延在するように形成されているため、ロープロファイル化の実現のためにラインガイド１４２ａの配置位置を低く設定しても、釣糸Ｌと駆動モータ８のハウジング８Ａとの干渉が発生しにくくなる。
【００６９】
また、本実施形態では、ラインガイド１４２ａの釣糸挿通孔１４３の後端下縁１４３”からスプール７の釣糸巻回胴部７ｃの外周面上の点（スプール７の底径位置にある接点）Ｐ’へと延ばした接線をＬ１、平坦部８Ａａの延在方向に延びるラインをＬ２とすると、Ｌ１とＬ２とが略平行に設定されているため、スプール７からラインガイド１４２ａへと向かう釣糸Ｌの傾斜角度にほぼ沿って平坦部８Ａａが延在するようになり、釣糸Ｌと駆動モータ８のハウジング８Ａとの干渉を効率良く防止できる。また、スプール７と駆動モータ８とラインガイド１４２ａとの間の配置関係および平坦部８Ａａの傾斜方向に関連して、本実施形態では、リール脚取付け部５ａの前側部分５ａ’が第１の実施形態よりも前方に位置されている。このようにリール脚取付け部５ａの前側部分５ａ’が前方に広がって位置されていると、この前側部分５ａ’からリールシートに装着する形態において装着性を向上でき有益である。
【符号の説明】
【００７０】
１  魚釣用電動リール
５  リール本体
５ａ  リール脚取付け部
５Ａ，５Ｂ  左右側板
６  手動ハンドル
７  スプール
７ａ  スプール軸
７ｂ  フランジ部
８  駆動モータ
８Ａ  ハウジング
８Ａａ  平坦部
１５  制御ケース
１４２  レベルワインド機構
１４２ａ  ラインガイド
Ｌ  釣糸
Ｌ’  仮想直線
Ｌ１  ライン、接線
Ｌ２  ライン
Ｒ  釣竿
Ｏ  水平面
【図１】
0005986724.tif 000002
【図２】
0005986724.tif 000003
【図３】
0005986724.tif 000004
【図４】
0005986724.tif 000005
【図５】
0005986724.tif 000006
【図６】
0005986724.tif 000007
【図７】
0005986724.tif 000008
【図８】
0005986724.tif 000009
【図９】
0005986724.tif 000010
【図１０】
0005986724.tif 000011
【図１１】
0005986724.tif 000012
【図１２】
0005986724.tif 000013
【図１３】
0005986724.tif 000014
【図１４】
0005986724.tif 000015